(57)【要約】【課題】照明光が照射される領域の熱損傷をより適切に防ぐことが可能となる。【解決手段】特定帯域にピーク強度を有する狭帯域光を射出する第１の光源部と、前記特定帯域よりも広い帯域を有する広帯域光を射出する第２の光源部と、前記狭帯域光および前記広帯域光を用いて合波光を生成する生成部と、前記合波光の照射対象を撮像する撮像部と、前記照射対象における前記合波光が照射された領域の温度の予測を行う予測部と、前記予測に基づいて前記狭帯域光および前記広帯域光の出力の制御を行う制御部と、を備える、画像取得システムが提供される。【選択図】図６
2018207456.tif 000002
【特許請求の範囲】
【請求項１】
特定帯域にピーク強度を有する狭帯域光を射出する第１の光源部と、
前記特定帯域よりも広い帯域を有する広帯域光を射出する第２の光源部と、
前記狭帯域光および前記広帯域光を用いて合波光を生成する生成部と、
前記合波光の照射対象を撮像する撮像部と、
前記照射対象における前記合波光が照射された領域の温度の予測を行う予測部と、
前記予測に基づいて前記狭帯域光および前記広帯域光の出力の制御を行う制御部と、を備える、
画像取得システム。
【請求項２】
前記制御部は、前記温度が所定値よりも高いと予測された場合、前記広帯域光の出力を下げ、前記狭帯域光の出力を上げる、
請求項１に記載の画像取得システム。
【請求項３】
前記制御部は、前記温度が所定値よりも低いと予測された場合、前記広帯域光の出力を上げ、前記狭帯域光の出力を下げる、
請求項１に記載の画像取得システム。
【請求項４】
前記制御部は、前記制御の前後で、前記合波光の光量が一定値もしく前記一定値から所定の範囲内の値に保たれるように前記制御を行う、
請求項１に記載の画像取得システム。
【請求項５】
前記制御部は、前記制御の前後で、前記合波光の色温度が一定値もしく前記一定値から所定の範囲内の値に保たれるように前記制御を行う、
請求項１に記載の画像取得システム。
【請求項６】
前記制御部は、前記合波光が入力されたカラーセンサーによる出力に基づいて前記制御を行う、
請求項４に記載の画像取得システム。
【請求項７】
前記撮像部は、前記制御の前後で、撮像素子のゲインを一定値もしく前記一定値から所定の範囲内の値に保つ、
請求項１に記載の画像取得システム。
【請求項８】
前記予測部は、前記照射対象からの反射光もしくは散乱光の、前記撮像部への入射に基づいて前記予測を行う、
請求項１に記載の画像取得システム。
【請求項９】
前記予測部は、前記入射に基づいて、前記合波光が射出される射出口と前記照射対象との離隔距離を予測し、前記離隔距離に基づいて前記予測を行う、
請求項８に記載の画像取得システム。
【請求項１０】
前記予測部は、前記照射対象が撮像された撮像画像の解析、または、前記照射対象を撮像したサーモグラフィーによる出力に基づいて前記予測を行う、
請求項１に記載の画像取得システム。
【請求項１１】
前記生成部は、白色光である前記合波光を生成する、
請求項１に記載の画像取得システム。
【請求項１２】
前記第１の光源部は、互いに合波されることで白色光が生成される複数種類の前記狭帯域光を射出する、
請求項１１に記載の画像取得システム。
【請求項１３】
前記第２の光源部は、前記広帯域光として白色光を射出する、
請求項１１に記載の画像取得システム。
【請求項１４】
前記画像取得システムは、内視鏡システムまたは顕微鏡システムである、
請求項１に記載の画像取得システム。
【請求項１５】
特定帯域にピーク強度を有する狭帯域光を射出することと、
前記特定帯域よりも広い帯域を有する広帯域光を射出することと、
前記狭帯域光および前記広帯域光を用いて合波光を生成することと、
前記合波光の照射対象を撮像することと、
前記照射対象における前記合波光が照射された領域の温度の予測を行うことと、
前記予測に基づいて前記狭帯域光および前記広帯域光の出力の制御を行うことと、を有する、
コンピュータにより実行される画像取得方法。
【請求項１６】
特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行う制御部を備える、
制御装置。
【請求項１７】
特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行うことを有する、
コンピュータにより実行される制御方法。
【発明の詳細な説明】
【技術分野】
【０００１】
本開示は、画像取得システム、画像取得方法、制御装置および制御方法に関する。
【背景技術】
【０００２】
近年、複数種類の光によって生成された合波光を様々な用途に使用する研究が盛んに行われている。例えば、下記の特許文献１には、狭帯域光と広帯域光によって生成される合波光を照明光として使用し、狭帯域光と広帯域光の光量比を変化させることで特定の生体構造をより高いコントラストで撮像する技術が開示されている。
【先行技術文献】
【特許文献】
【０００３】
【特許文献１】特開２０１６−４９３７０号公報
【発明の概要】
【発明が解決しようとする課題】
【０００４】
しかし、特許文献１に開示されている技術では、照明光が照射される領域の熱損傷を適切に防ぐことができなかった。より具体的には、広帯域光は、可視光以外の波長帯域成分の光を含んでおり、これらの波長帯域成分の光が照射領域（例えば、内視鏡で観察される生体部位等）に吸収されること等が原因で照射領域が損傷する場合がある。【０００５】
そこで、本開示は、上記問題に鑑みてなされたものであり、本開示の目的とするところは、照明光が照射される領域の熱損傷をより適切に防ぐことが可能な、新規かつ改良された画像取得システム、画像取得方法、制御装置および制御方法を提供することにある。
【課題を解決するための手段】
【０００６】
本開示によれば、特定帯域にピーク強度を有する狭帯域光を射出する第１の光源部と、前記特定帯域よりも広い帯域を有する広帯域光を射出する第２の光源部と、前記狭帯域光および前記広帯域光を用いて合波光を生成する生成部と、前記合波光の照射対象を撮像する撮像部と、前記照射対象における前記合波光が照射された領域の温度の予測を行う予測部と、前記予測に基づいて前記狭帯域光および前記広帯域光の出力の制御を行う制御部と、を備える、画像取得システムが提供される。【０００７】
また、本開示によれば、特定帯域にピーク強度を有する狭帯域光を射出することと、前記特定帯域よりも広い帯域を有する広帯域光を射出することと、前記狭帯域光および前記広帯域光を用いて合波光を生成することと、前記合波光の照射対象を撮像することと、前記照射対象における前記合波光が照射された領域の温度の予測を行うことと、前記予測に基づいて前記狭帯域光および前記広帯域光の出力の制御を行うことと、を有する、コンピュータにより実行される画像取得方法が提供される。【０００８】
また、本開示によれば、特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行う制御部を備える、制御装置が提供される。【０００９】
また、本開示によれば、特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行うことを有する、コンピュータにより実行される制御方法が提供される。
【発明の効果】
【００１０】
以上説明したように本開示によれば、照明光が照射される領域の熱損傷をより適切に防ぐことが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】狭帯域光および広帯域光の出力の制御によって照射領域の温度上昇を抑制できることを表す実験結果を示す図である。
【図２】本実施例に係る光源部の構成の一例を示すブロック図である。
【図３】本実施例に係る合波光学系の構成の一例を示すブロック図である。
【図４】本実施例に係る合波光学系の構成の一例を示すブロック図である。
【図５】本実施例に係る画像取得装置の構成の一例を示すブロック図である。
【図６】本実施例に係る画像取得システムの動作の一例を示すフローチャートである。
【図７】変形例に係る画像取得システムの動作の一例を示すフローチャートである。
【図８】本開示に係る制御部のハードウェア構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．背景
２．本実施例に係る画像取得システム
３．変形例に係る画像取得システム
４．ハードウェア構成
５．むすび
【００１５】
＜１．背景＞
様々な物体に照明光を照射することで当該物体の観察を行う装置、方法またはシステムが様々に研究されている。例えば、人体や構造物等の内部に照明光を照射することによって、これらの物体の内部構造を観察する装置として内視鏡が広く普及している。特に医療分野においては、内視鏡は、手術に関する技術の発展等に伴い急速に発展しており、今では多くの診療分野で不可欠な装置となっている。
【００１６】
ここで、内視鏡においては、軟性鏡または硬性鏡を問わず、その照明用光源としてランプ光源（例えば、キセノンランプ、ハロゲンランプ等）または白色ＬＥＤ（Ｌｉｇｈｔ  Ｅｍｉｔｔｉｎｇ  Ｄｉｏｄｅ）等の、光スペクトルが連続的であり、特定帯域よりも広い帯域を有する光（以降、便宜的に「広帯域光」と呼称する）を射出する光源が用いられる場合がある。ランプ光源または白色ＬＥＤ等の特徴の一つとして、それらの射出する広帯域光が可視光帯域（例えば、約４００[ｎｍ]〜約７００[ｎｍ]）以外の波長帯域の光も含んでいることが挙げられる。
【００１７】
可視光帯域以外の波長帯域の光は、観察者には見えない光であるため、物体の観察には不要な光である。その上、可視光帯域以外の波長帯域の光が観察対象物に吸収された場合、吸収された光のエネルギーが熱に変換されるため、観察対象物において光が照射された領域の温度が上昇し、熱による損傷（以降、便宜的に「熱損傷」と呼称する。特に人体における損傷を「熱傷」と呼称する）が発生する場合がある。
【００１８】
一般的な内視鏡については、相当程度の出力の照明光が照射されている状態で照明光の射出口を観察対象物に近づけると、観察領域において熱損傷が発生する旨が注意事項として明示されている。そのため、例えば、手術等において、医師は、内視鏡を用いた患部の近接観察を長時間にわたって行うことを避け、適宜近接観察を中断したり、近接観察を要しない手術を行ったり、照明光の出力を下げて撮像装置のゲインを上げたりすること等によって熱傷の発生を防いでいる。しかし、近接観察を中断する等の対応によっては手術時間が長時間化し、照明光の出力を下げて撮像装置のゲインを上げる対応によっては得られる撮像画像のノイズが増加してしまう。
【００１９】
また、例えば、赤色光、緑色光、青色光等の、特定帯域にピーク強度を有する光（以降、便宜的に「狭帯域光」と呼称する）を個別に発生させ、これらの狭帯域光を合波することで白色光を生成し、当該白色光を照明光として使用する技術が開発されている。当該技術によって生成された白色光は、基本的に、可視光帯域以外の波長帯域の光を含まない（または、可視光帯域以外の波長帯域の光が弱い）ため、照射領域の温度上昇を抑制することができる。しかし、狭帯域光は離散的な光スペクトルを有しているため、狭帯域光が合波されて生成された白色光は、演色性が低いという特徴を有している。
【００２０】
そこで、本件の開示者は、上記事情に鑑み本技術を開発するに至った。本開示に係る画像取得システム、画像取得方法、制御装置および制御方法は、狭帯域光と広帯域光によって生成された合波光が照射された領域の温度を予測し、当該予測に基づいて狭帯域光および広帯域光の出力の制御を行うことで熱損傷の発生を防ぐことができる。以降では、「２．本実施例に係る画像取得システム」「３．変形例に係る画像取得システム」「４．ハードウェア構成」の順で本開示に係る技術を詳細に説明していく。
【００２１】
＜２．本実施例に係る画像取得システム＞
まず、本開示の一実施例に係る画像取得システムについて説明する。本開示は、様々なシステム、装置または方法に対して適用可能である。例えば、本開示は、撮像処理の際に照明光を使用する画像取得システム、照明光を照射する照明機器（懐中電灯、舞台照明等）等に対して適用可能である（例示したシステムや機器に限定されない）。本書では、本開示が画像取得システムに適用された場合を一例として説明する。
【００２２】
本実施例に係る画像取得システムの種類は任意である。例えば、本実施例に係る画像取得システムは、医療用（または工業用）の内視鏡システム、医療用（または工業用）の顕微鏡システム、防犯（または監視）カメラシステム等であってもよい（例示したシステムに限定されない）。本書では、本実施例に係る画像取得システムが医療用の内視鏡システムである場合を一例として説明する。
【００２３】
（２−１．本実施例に係る画像取得システムの機能概要）
まず、本実施例に係る画像取得システムの機能概要について説明する。
【００２４】
本実施例に係る画像取得システムは、狭帯域光と広帯域光を合波させて白色光を生成し、当該白色光を撮像処理の際の照明光として用いる。より具体的には、画像取得システムは、３種類の狭帯域光源と１種類の広帯域光源を備えており、３種類の狭帯域光源は赤色光、緑色光、青色光を射出し、１種類の広帯域光源は白色光を射出する。そして、画像取得システムは、所定の合波光学系を用いて狭帯域光である赤色光、緑色光、青色光および広帯域光である白色光を合波することで、撮像時の照明光として用いられる白色光を生成する。なお、各狭帯域光源が射出する光の波長帯域の組み合わせは任意である。例えば、各狭帯域光源が射出する狭帯域光の合波によって白色光が生成されれば各狭帯域光源はいずれの波長帯域の光を射出してもよい。
【００２５】
そして、本実施例に係る画像取得システムは、生成された白色光が照明光として照射された領域の温度を所定の方法により予測する。当該予測方法は任意である。例えば、画像取得システムは、撮像素子に入射する照射領域からの反射光もしくは散乱光の光量に基づいて照射領域の温度を予測してもよいし、撮像画像を解析することで照射領域の状態を判定し、当該判定結果に基づいて照射領域の温度を予測してもよいし、照射領域が有する熱を計測し視覚化する装置（例えば、サーモグラフィー等）を用いて照射領域の温度を予測してもよい。
【００２６】
さらに、本実施例に係る画像取得システムは、照明光の照射領域の温度の予測に基づいて狭帯域光および広帯域光の出力を制御する。より具体的には、画像取得システムは、照射領域の温度が所定値よりも高いと予測した場合（換言すると、熱損傷が発生する可能性があると判断した場合）、広帯域光の出力を下げ、狭帯域光の出力を上げる。これによって、合波光において、広帯域光に含まれる可視光帯域以外の波長帯域の光が減少するため、画像取得システムは、当該光の吸収による照射領域の温度上昇を抑制することができる。
【００２７】
ここで、図１を参照して、狭帯域光および広帯域光の出力の制御によって照射領域の温度上昇を抑制できることを表す実験結果について説明する。図１は、狭帯域光および広帯域光の出力の制御によって照射領域の温度上昇を抑制できることを表す実験結果を示す図である。図１には、照明光として狭帯域光（赤色光、緑色光、青色光）のみの合波光が用いられた場合（図１では「ＲＧＢ」と表記）、照明光として狭帯域光（赤色光、緑色光、青色光）と広帯域光（白色光）の合波光が用いられた場合（図１では「ＲＧＢＷ」と表記。なお、合波光における狭帯域光の光量と広帯域光の光量の割合が等しくなるように調整されている）、照明光として広帯域光のみが用いられた場合（図１では「Ｗ」と表記）のそれぞれにおいて、照明光が同一の出力で豚の肝臓に照射されて所定時間が経過した後の照射領域の上昇温度の最大値が示されている。
【００２８】
図１に示すように、それぞれの場合における照射領域の上昇温度の最大値は、照明光として狭帯域光のみの合波光が用いられた場合においては３０．９[℃]であり、照明光として狭帯域光と広帯域光の合波光が用いられた場合においては３４．４[℃]であり、照明光として広帯域光のみが用いられた場合においては３７．１[℃]であった。当該実験結果からも、合波光において狭帯域光の割合が増加されることによって照射領域の温度上昇が抑制されることが分かる。
【００２９】
反対に、照射領域の温度が所定値よりも低いと予測される場合には、画像取得システムは、適宜広帯域光の出力を上げ、狭帯域光の出力を下げる。これによって、画像取得システムは、合波光における広帯域光の割合を増加させることによって、演色性を高めることができる。
【００３０】
また、本実施例に係る画像取得システムは、上記の制御の前後において、照明光の出力（明るさ）および色味が変わらないように（または、出力（明るさ）や色味の変化量が所定の範囲内の値に保たれるように）することができる。より具体的には、画像取得システムは、上記の制御の前後において、狭帯域光の出力と広帯域光の光量の合計値が一定値（または一定値から所定の範囲内の値）に保たれるようにする。また、画像取得システムは、上記の制御の前後において、照明光の色温度が一定値（または一定値から所定の範囲内の値）に保たれるようにする。これらの処理によって、画像取得システムは、上記の制御の前後において、照明光の出力（明るさ）および色味を一定にすることができる。すなわち、画像取得システムは、上記の制御の前後において、照明光の光量を下げて撮像素子のゲインを上げる等の制御をしなくてもよくなり、ノイズが少なく観察し易い撮像画像を観察者に提供することができる。上記の処理の詳細については後述する。
【００３１】
（２−２．本実施例に係る画像取得システムの構成）
上記では、本実施例に係る画像取得システムの機能概要について説明した。続いて、本実施例に係る画像取得システムの構成について説明する。本実施例に係る画像取得システムは、画像取得装置１００と光源部２００と、を備える。
【００３２】
（光源部２００）
まず、図２を参照して、本実施例に係る光源部２００の構成について説明する。図２は、本実施例に係る光源部２００の構成の一例を示すブロック図である。図２に示すように、本実施例に係る光源部２００は、Ｗ光源部２１１と、Ｒ光源部２１２と、Ｇ光源部２１３と、Ｂ光源部２１４と、Ｗ光源制御部２２１と、Ｒ光源制御部２２２と、Ｇ光源制御部２２３と、Ｂ光源制御部２２４と、合波光学系２３０と、を備える。
【００３３】
（Ｗ光源部２１１、Ｒ光源部２１２、Ｇ光源部２１３、Ｂ光源部２１４）
Ｗ光源部２１１、Ｒ光源部２１２、Ｇ光源部２１３、Ｂ光源部２１４（以降、便宜的にこれらの光源部を「各色光源部２１０」と総称する場合がある）は、所定の波長帯域の光を射出する光源である。より具体的には、Ｒ光源部２１２、Ｇ光源部２１３、Ｂ光源部２１４のそれぞれは、特定帯域にピーク強度を有する狭帯域光を射出する第１の光源部として機能する構成であり、Ｒ光源部２１２は赤色光を射出し、Ｇ光源部２１３は緑色光を射出し、Ｂ光源部２１４は青色光を射出する。また、Ｗ光源部２１１は、広帯域光である白色光を射出する第２の光源部として機能する構成である。
【００３４】
各色光源部２１０としては、射出される光の波長帯域に応じて、半導体レーザ光源、固体レーザ光源、液体レーザ光源および気体レーザ光源等の公知のレーザ光源や公知のＬＥＤ等を利用することが可能である。例えば、各種の半導体レーザ光源が用いられることで、装置のより一層の小型化を図ることが可能である。かかる半導体レーザ光源は、特に限定されるものではないが、本書では、一例として、Ｒ光源部２１２として、ＧａＩｎＰ半導体を利用したＧａＩｎＰ量子井戸構造レーザダイオードが用いられ、Ｇ光源部２１３およびＢ光源部２１４として、ＧａＩｎＮ半導体を利用したＧａＩｎＮ量子井戸構造レーザダイオードが用いられることを想定して記載する。また、Ｗ光源部２１１としては、青色ＬＥＤによって蛍光体を発光させることで白色光を射出する部材が用いられることを想定して記載する。より具体的には、青色ＬＥＤと、青色ＬＥＤによって射出された青色光によって励起され黄色光を射出する蛍光体とを用いる部材であり、射出された青色光と黄色光との合波により白色光を生成する部材が用いられることを想定して記載する。
【００３５】
（Ｗ光源制御部２２１、Ｒ光源制御部２２２、Ｇ光源制御部２２３、Ｂ光源制御部２２４）
Ｗ光源制御部２２１、Ｒ光源制御部２２２、Ｇ光源制御部２２３、Ｂ光源制御部２２４（以降、便宜的にこれらの光源部を「各色光源制御部２２０」と総称する場合がある）は、各色光源部２１０を制御する。より具体的には、各色光源制御部２２０は、各色光源部２１０から射出させる光の出力および光を射出させるタイミング等を決定し、制御信号を生成し、当該制御信号を各色光源部２１０に提供することによって各色光源部２１０を制御する。また、各色光源制御部２２０は、後述する画像取得装置１００の制御部１１０から制御信号が提供された場合には、提供された制御信号に基づいて各色光源部２１０を制御する。例えば、画像取得装置１００の制御部１１０が各色光源部２１０から射出させる光の出力および光を射出させるタイミング等を決定し、これらの情報を含む制御信号を各色光源制御部２２０に提供した場合には、各色光源制御部２２０は、提供された制御信号に基づいて各色光源部２１０を制御する。
【００３６】
（合波光学系２３０）
合波光学系２３０は、各色光源部２１０から射出された光を合波し白色光を生成する生成部として機能する。なお、合波光学系２３０の構成および合成方法は任意である。ここで、図３および図４を参照して、本実施例に係る合波光学系２３０の構成の一例について説明する。図３および図４は、本実施例に係る合波光学系２３０の構成の一例を示すブロック図である。
【００３７】
図３に示すように、本実施例に係る合波光学系２３０は、例えば、ミラー２３１と、３種類のダイクロイックミラー（図３では「Ｇ−ＤＭ２３２」、「Ｂ−ＤＭ２３３」、「Ｗ−ＤＭ２３４」と表記）と、集光レンズ２３５と、を備える。
【００３８】
Ｒ光源部２１２から射出された赤色光は、ミラー２３１によって光路を切り替えられてから３種類のダイクロイックミラー（Ｇ−ＤＭ２３２、Ｂ−ＤＭ２３３、Ｗ−ＤＭ２３４）を透過して集光レンズ２３５へ入射する。Ｇ光源部２１３から射出された緑色光は、赤色光より長い波長の光を透過し緑色光を反射する特性を有するＧ−ＤＭ２３２によって光路を切り替えられることで赤色光と合波され、２種類のダイクロイックミラー（Ｂ−ＤＭ２３３、Ｗ−ＤＭ２３４）を透過して集光レンズ２３５へ入射する。Ｂ光源部２１４から射出された青色光は、緑色光より長い波長の光を透過し青色光を反射する特性を有するＢ−ＤＭ２３３によって光路を切り替えられることで赤色光および緑色光と合波され、Ｗ−ＤＭ２３４を透過して集光レンズ２３５へ入射する。
【００３９】
Ｗ光源部２１１から射出された白色光は、赤色光、緑色光および青色光を透過し、残りの波長帯域の光を反射する特性を有するＷ−ＤＭ２３４によって光路を切り替えられることで赤色光、緑色光および青色光と合波され、集光レンズ２３５へ入射する。集光レンズ２３５によって集光された合波光は画像取得装置１００へ入射する。なお、図３に示す構成はあくまで一例であり、適宜変更され得る。例えば、光を透過することによって平行光を生成するコリメートレンズ等が設けられてもよいし、集光レンズ２３５の後段に、各色光の面内強度を均一化するロッドインテグレータ等が設けられてもよい。
【００４０】
また、Ｒ光源部２１２、Ｇ光源部２１３およびＢ光源部２１４から射出される各色光（レーザー光）の偏光方向が保存されていることを利用して偏波合波が行われてもよい。より具体的には、図４に示すように、光源部２００は、Ｗ−ＤＭ２３４の代りに、ＰＳコンバータ２３６と、ＰＢＳ（Ｐｏｌａｒｉｚｉｎｇ  Ｂｅａｍ  Ｓｐｌｉｔｔｅｒ）２３７と、を備え、Ｗ光源部２１１から射出された白色光が、ＰＳコンバータ２３６によって偏光方向が揃えられた状態でＰＢＳ２３７に入射し、ＰＢＳ２３７によって、狭帯域光と偏波面が直交するように合波されてもよい。なお、図４に示す構成はあくまで一例であり、適宜変更され得る。例えば、偏光方向を選択的に制御することが可能であればＰＳコンバータ２３６以外の部材が用いられてもよいし、偏波合波が可能であればＰＢＳ２３７以外の部材が用いられてもよい。
【００４１】
（画像取得装置１００）
続いて、図５を参照して、本実施例に係る画像取得装置１００の構成について説明する。図５は、本実施例に係る画像取得装置１００の構成の一例を示すブロック図である。図５に示すように、本実施例に係る画像取得装置１００は、制御部１１０と、ライトガイド１２０と、照明光学系１３０と、対物光学系１４０と、リレー光学系１５０と、結像光学系１６０と、撮像部１７０と、を備える。
【００４２】
（ライトガイド１２０）
ライトガイド１２０は、通常、インデックスガイド型の１０[μｍ]〜８０[μｍ]程度のコア径を有する複数のマルチモード光ファイバが束ねられた（バンドルされた）ものである。ライトガイド１２０は、光源部２００に接続されており、光源部２００によって入力された合波光を照明光学系１３０へと導光する。かかるライトガイド１２０については、特に限定されるものではなく、公知の様々なライトガイドを利用することが可能である。
【００４３】
（照明光学系１３０）
照明光学系１３０は、ライトガイド１２０によって伝播された照明光の観察対象物への結像状態を調整する光学系である。かかる照明光学系１３０については、特に限定されるものではなく、公知の様々な照明光学系を利用することが可能である。
【００４４】
（対物光学系１４０）
対物光学系１４０は、照明光の照射領域の観察像を得るための光学系である。かかる対物光学系１４０については、特に限定されるものではなく、公知の各種の光学系を利用することが可能である。対物光学系１４０により伝播された観察像は、リレー光学系１５０によって、更に結像光学系１６０へと導光される。
【００４５】
（リレー光学系１５０）
リレー光学系１５０は、対物光学系１４０で観察された像を結像光学系１６０へとリレーする光学系である。なお、リレー光学系１５０は、特に限定されるものではなく、公知の様々なリレー光学系を利用することが可能である。
【００４６】
（結像光学系１６０）
結像光学系１６０は、リレー光学系１５０により伝播された観察対象物の観察像を、撮像部１７０に結像させるための光学系であり、後段の撮像部１７０と光学的に接続されている。かかる結像光学系１６０については、特に限定されるものではなく、公知の様々な結像光学系を利用することが可能である。
【００４７】
（撮像部１７０）
撮像部１７０は、制御部１１０による制御のもと、光源部２００からの照明光による生体の内部の観察像を撮像して、撮像画像の画像データを生成する構成である。より具体的には、撮像部１７０は、可視光帯域の波長に感度のある撮像素子（例えば、ＣＣＤまたはＣＭＯＳ等）を用いることで、人間の眼で直接観察する状況に近い画像を撮像し、かかる画像を適切に現像した上で、観察画像として、表示部（図示なし。ディスプレイ等）に提供することで、観察者が表示部を介して観察画像を確認することができるようにする。
【００４８】
（制御部１１０）
制御部１１０は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により実現される。制御部１１０は、画像取得システムの全体的な機能を統括して制御する構成であり、例えば、画像取得システムのカメラコントロールユニット（ＣＣＵ）に該当するユニットである。
【００４９】
また、本実施例に係る制御部１１０は、上記のとおり、合成光が照明光として照射された領域の温度を所定の方法により予測する予測部として機能し、当該予測に基づいて狭帯域光および広帯域光の出力を制御する。
【００５０】
ここで、上記のとおり、当該予測方法は任意である。例えば、制御部１１０は、撮像素子に入射する、照射領域からの反射光もしくは散乱光の光量に基づいて照射領域の温度を予測してもよい。より具体的には、撮像素子に入射する反射光等の光量は、照射領域の温度と相関を有しているため、制御部１１０は、撮像素子に入射する光量に基づいて照射領域の温度を予測することができる。例えば、制御部１１０は、撮像素子に入射する光量と照射領域の温度との対応関係を記録したテーブルを保持しておき、撮像素子に入射する光量と当該テーブルに基づいて照射領域の温度を予測してもよい。
【００５１】
また、撮像素子に入射する光量は、照明光学系１３０の射出口と照射領域との離隔距離および照明光の光量に応じても変化する。ここで、照明光の光量は既知である（光源部２００の各色光源部２１０の制御情報によって特定される）ため、制御部１１０は、撮像素子に入射する光量に基づいて射出口と照射領域との離隔距離を予測することができる。そして、制御部１１０は、当該離隔距離に基づいて照射領域の温度を予測してもよい。例えば、制御部１１０は、照明光の光量、射出口と照射領域との離隔距離、および、照射領域の温度の対応関係を記録したテーブルを保持しておき、照明光の光量（既知）と、射出口と照射領域との離隔距離の予測結果と、当該テーブルに基づいて照射領域の温度を予測してもよい。
【００５２】
なお、制御部１１０は、併せて、照明光の照射の継続時間を考慮してもよい。より具体的には、照明光の照射の継続時間によって熱損傷の激しさが異なる場合がある。例えば、照明光の光量が少ない場合であってもより長い時間照射され続けることによって熱損傷が発生したり、熱損傷が激しくなったりする場合がある。したがって、制御部１１０は、例えば、照明光の照射の継続時間に関する情報を上記のテーブルに追加することで、より適切に熱損傷の発生を防ぐことができる。
【００５３】
また、制御部１１０は、撮像画像を解析することで照射領域の状態を判定し、当該判定結果に基づいて照射領域の温度を予測してもよい。より具体的には、照射領域の温度の上昇に伴い照射領域が視覚的に変化する場合がある。例えば、生体内部に照明光が照射される場合、照射領域の温度上昇に伴いタンパク質の変性が生じ、照射領域が白く変色する場合がある。さらに変性が進展すると、タンパク質の炭化が生じ、照射領域が黒く変色する場合がある。制御部１１０は、撮像画像を解析することで、照射領域の温度上昇に伴う変化（例えば、タンパク質の変性等）を検知し、検知結果に基づいて照射領域の温度を予測してもよい。
【００５４】
また、制御部１１０は、照射領域が有する熱を計測し視覚化する装置（例えば、サーモグラフィー等）を用いて照射領域の温度を予測してもよい。例えば、本実施例に係る画像取得システムが、照射領域を撮像し、照射領域の温度を測定するサーモグラフィーを備えており、制御部１１０は、当該サーモグラフィーによる出力に基づいて照射領域の温度を予測（または把握）してもよい。
【００５５】
なお、制御部１１０が予測する照射領域の温度とは、特に限定されるものではなく、照射領域における温度の最大値であってもよいし、照射領域における温度の平均値であってもよいし、照射領域における所定の一点の温度であってもよい。
【００５６】
そして、制御部１１０は、照射領域の温度の予測に基づいて、照明光の出力（明るさ）および色味が変わらないように（または、照明光の出力（明るさ）および色味の変化量が所定の範囲内の値に保たれるように）狭帯域光および広帯域光の出力を制御する。
【００５７】
出力（明るさ）の維持についてより具体的に説明すると、制御部１１０は、予測した照射領域の温度が所定の閾値よりも高く、熱損傷または熱傷が発生するリスクが高い場合、広帯域光の光量を減少させるように制御する。そして、制御部１１０は、減少させた広帯域光の光量分だけ狭帯域光の光量を増加させることで、射出される照明光の光量の合計値を一定にすることができる。なお、上記の制御の前後において、制御部１１０は、照明光の光量の合計値を一定にしなくても、観察に支障が出ない程度に適宜変更させてもよい。
【００５８】
また、色味の維持についてより具体的に説明すると、色味は色温度によって表され、照明光の色温度は、基本的に各色光が混合される割合によって決まる。制御部１１０は、上記のように、制御の前後において照明光の光量の合計値を一定にしつつ、各色光が混合される割合を調整することで照明光の色温度が一定となるように制御を行う。
【００５９】
例えば、事前のシミュレーション等により、各色光源部２１０の駆動電流（または駆動電圧）と射出される光量との対応関係、および、各色光源部２１０の駆動電流（または駆動電圧）と照射光の色温度との対応関係を記録したテーブルが作成されているとする。これにより、制御部１１０は、当該テーブルを参照することで、各色光源部２１０の駆動電流の増減によって光量および色温度を自在に調整することができる。制御部１１０は、各色光源部２１０の駆動電流を決定すると、当該情報を含む制御信号を生成し、当該信号を各色光源制御部２２０に提供することによって上記の制御を実現する。なお、この方法はあくまで一例であり、適宜変更され得る。また、上記の制御の前後で、撮像部１７０は撮像素子のゲインを変更しない（または、変更前の値から所定の範囲内の値に保つ）こととする。
【００６０】
なお、上記の処理はあくまで一例であり、制御部１１０はその他の各種処理を行ってもよい。例えば、制御部１１０は、各種情報（熱損傷が発生する危険性に関する情報、上記の処理内容の進捗状況に関する情報等）を観察者に通知する処理を行ってもよい。例えば、制御部１１０は、熱損傷が発生する危険性が高いと判断した場合、鳴動装置（図示なし。スピーカ等）を制御することでアラームを鳴らしたり、表示部（図示なし。ディスプレイ等）を制御することで当該情報を表示させたりしてもよい。
【００６１】
（２−３．本実施例に係る画像取得システムの動作）
上記では、本実施例に係る画像取得システムの構成について説明した。続いて、図６を参照して、本実施例に係る画像取得システムの動作について説明する。図６は、本実施例に係る画像取得システムの動作の一例を示すフローチャートである。
【００６２】
ステップＳ１０００では、画像取得装置１００の制御部１１０が、例えば上記のように、撮像素子に入射する光量に基づいて照明光の照射領域の温度を予測する。照射領域の温度予測の結果、制御部１１０が狭帯域光と広帯域光の出力の調整が必要と判断した場合（例えば、照射領域の温度が所定の閾値より高い場合や、照射領域の温度が所定の閾値よりも早いペースで上昇している場合等）（ステップＳ１００４／Ｙｅｓ）、ステップＳ１００８にて、制御部１１０が、変更前における光量（各色光源制御部２２０から射出される光の光量、照明光の光量等）および色温度（各色光源制御部２２０から射出される光の色温度、照明光の色温度等）を把握する。
【００６３】
ここで、把握方法は任意である。例えば、制御部１１０は、各色光源制御部２２０の駆動電流を確認し、当該駆動電流に基づいて光量および色温度を算出してもよい。なお、照射領域の温度予測の結果、制御部１１０が狭帯域光と広帯域光の出力の調整が不要と判断した場合（ステップＳ１００４／Ｎｏ）には、ステップＳ１００８以降の処理は行われない。
【００６４】
ステップＳ１０１２では、制御部１１０は、広帯域光である白色光の光量を低減させる。ここで、白色光の光量の低減量は任意である。例えば、制御部１１０は、照射領域の温度や当該温度の上昇スピードに応じて白色光の光量の低減量を決定してもよい。ステップＳ１０１６では、制御部１１０は、白色光の光量の低減量だけ狭帯域光の光量を増加させる。換言すると、制御部１１０は、狭帯域光である各色光（赤色光、緑色光、青色光）の光量の合計値を白色光の光量の低減量だけ増加させる。これによって制御部１１０は、照明光の光量の合計値を一定に維持することで照明光の出力（明るさ）を一定に維持することができる。併せて、制御部１１０は、変更後における照明光の色温度が変更前における照明光の色温度と同等となるように各色光が混合される割合を調整する。
【００６５】
上記の動作によって、本実施例に係る制御部１１０は、照明光の出力（明るさ）および色味が変わらないように（または、照明光の出力（明るさ）や色味の変化量が所定の範囲内の値に保たれるように）しつつ、照射領域の温度を低減させることができる。また、本実施例に係る制御部１１０は、図６に示した動作を連続的に繰り返すことによって、継続してより適切な照明光を光源部２００に射出させ続けることができる。
【００６６】
＜３．変形例に係る画像取得システム＞
上記では、本実施例に係る画像取得システムの動作について説明した。続いて、本開示の変形例に係る画像取得システムについて説明する。
【００６７】
上記の実施例においては、制御部１１０は、例えば図６に示したように、変更前における光量および色温度を把握し、これらの値が一定となるように（または変更前との差分が所定の範囲内に保たれるように）各色光源制御部２２０の駆動電流を変更していた。一方、本開示の変形例に係る画像取得システムは、合波光をセンシングできるカラーセンサーを備えており、制御部１１０は、当該カラーセンサーからの出力に基づいて各色光源制御部２２０の駆動電流を制御する。
【００６８】
当該カラーセンサーは、合波光が入力されると、赤色光に対応する成分をＲ信号として出力し、緑色光に対応する成分をＧ信号として出力し、青色光に対応する成分をＢ信号として出力することとする。本変形例において、制御部１１０は、カラーセンサーの出力である各信号（Ｒ信号、Ｇ信号、Ｂ信号）の値を変更前後で一定にする（または差分が所定の範囲内に保たれるようにする）という、より簡易な方法によって、変更前後で照明光の出力（明るさ）および色味が一定となるようにすることができる。
【００６９】
ここで、図７を参照して、変形例に係る画像取得システムの動作について説明する。図７は、変形例に係る画像取得システムの動作の一例を示すフローチャートである。
【００７０】
ステップＳ１１００では、画像取得装置１００の制御部１１０が、例えば上記のように、撮像素子に入射する光量に基づいて照明光の照射領域の温度を予測する。照射領域の温度予測の結果、制御部１１０が狭帯域光と広帯域光の出力の調整が必要と判断した場合（例えば、予測温度が所定の閾値より高い場合や、予測温度が所定の閾値よりも早いペースで上昇している場合等）（ステップＳ１１０４／Ｙｅｓ）、ステップＳ１１０８にて、制御部１１０が、変更前における照明光の情報をカラーセンサーから出力される信号に基づいて把握する。ここで、変更前にカラーセンサーから出力されたＲ信号の値をＣＲとし、Ｇ信号の値をＣＧとし、Ｂ信号の値をＣＢとする。
【００７１】
ステップＳ１１１２では、制御部１１０は、広帯域光である白色光の光量を低減させる。ステップＳ１１１６では、制御部１１０は、Ｒ光源部２１２の駆動電流を変更し、カラーセンサーから出力されたＲ信号の値が変更前の値であるＣＲに一致しているか否かを確認し、Ｒ信号の値がＣＲに一致していない場合（ステップＳ１１２０／Ｎｏ）、ステップＳ１１１６にてＲ光源部２１２の駆動電流を再度変更する。Ｒ信号の値がＣＲに一致した場合（ステップＳ１１２０／Ｙｅｓ）、Ｒ光源部２１２に対する処理が終了する。
【００７２】
ステップＳ１１２４では、制御部１１０は、Ｇ光源部２１３の駆動電流を変更し、カラーセンサーから出力されたＧ信号の値が変更前の値であるＣＧに一致しているか否かを確認し、Ｇ信号の値がＣＧに一致していない場合（ステップＳ１１２８／Ｎｏ）、ステップＳ１１２４にてＧ光源部２１３の駆動電流を再度変更する。Ｇ信号の値がＣＧに一致した場合（ステップＳ１１２８／Ｙｅｓ）、Ｇ光源部２１３に対する処理が終了する。
【００７３】
ステップＳ１１３２では、制御部１１０は、Ｂ光源部２１４の駆動電流を変更し、カラーセンサーから出力されたＢ信号の値が変更前の値であるＣＢに一致しているか否かを確認し、Ｂ信号の値がＣＢに一致していない場合（ステップＳ１１３６／Ｎｏ）、ステップＳ１１３２にてＢ光源部２１４の駆動電流を再度変更する。Ｂ信号の値がＣＢに一致した場合（ステップＳ１１３６／Ｙｅｓ）、Ｂ光源部２１４に対する処理が終了する。
【００７４】
上記の動作によって、変形例に係る制御部１１０は、カラーセンサーを用いたより簡易な方法によって変更前後で照明光の出力（明るさ）および色味が一定となるように（または差分が所定の範囲内に保たれるように）しつつ、照射領域の温度を低減させることができる。
【００７５】
＜４．ハードウェア構成＞
次に、図８を参照しながら、本開示に係る制御部１１０のハードウェア構成について、詳細に説明する。図８は、本開示に係る制御部１１０のハードウェア構成の一例を示すブロック図である。
【００７６】
制御部１１０は、主に、ＣＰＵ９０１と、ＲＯＭ９０３と、ＲＡＭ９０５と、を備える。また、制御部１１０は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【００７７】
ＣＰＵ９０１は、演算処理装置及び制御装置として機能し、ＲＯＭ９０３、ＲＡＭ９０５、ストレージ装置９１９、又はリムーバブル記録媒体９２７に記録された各種プログラムに従って、制御部１１０内または画像取得装置１００内の動作全般又はその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【００７８】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００７９】
入力装置９１５は、例えば、マウス、キーボード、タッチパネル、ボタン、スイッチ及びレバーなどユーザが操作する操作手段である。また、入力装置９１５は、例えば、赤外線やその他の電波を利用したリモートコントロール手段（いわゆる、リモコン）であってもよいし、制御部１１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。ユーザは、この入力装置９１５を操作することにより、制御部１１０に対して各種のデータを入力したり処理動作を指示したりすることができる。
【００８０】
出力装置９１７は、取得した情報をユーザに対して視覚的又は聴覚的に通知することが可能な装置で構成される。このような装置として、ＣＲＴディスプレイ装置、液晶ディスプレイ装置、プラズマディスプレイ装置、ＥＬディスプレイ装置及びランプなどの表示装置や、スピーカ及びヘッドホンなどの音声出力装置や、プリンタ装置、携帯電話、ファクシミリなどがある。出力装置９１７は、例えば、制御部１１０が行った各種処理により得られた結果を出力する。具体的には、表示装置は、制御部１１０が行った各種処理により得られた結果を、テキスト又はイメージで表示する。他方、音声出力装置は、再生された音声データや音響データ等からなるオーディオ信号をアナログ信号に変換して出力する。
【００８１】
ストレージ装置９１９は、制御部１１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス、又は光磁気記憶デバイス等により構成される。このストレージ装置９１９は、ＣＰＵ９０１が実行するプログラムや各種データ、及び外部から取得した各種データなどを格納する。
【００８２】
ドライブ９２１は、記録媒体用リーダライタであり、制御部１１０に内蔵、あるいは外付けされる。ドライブ９２１は、装着されている磁気ディスク、光ディスク、光磁気ディスク、又は半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、又は半導体メモリ等のリムーバブル記録媒体９２７に記録を書き込むことも可能である。
【００８３】
リムーバブル記録媒体９２７は、例えば、ＤＶＤメディア、ＨＤ−ＤＶＤメディア、Ｂｌｕ−ｒａｙ（登録商標）メディア等である。また、リムーバブル記録媒体９２７は、コンパクトフラッシュ（登録商標）（ＣｏｍｐａｃｔＦｌａｓｈ：ＣＦ）、フラッシュメモリ、又は、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。
【００８４】
接続ポート９２３は、機器を制御部１１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、制御部１１０は、外部接続機器９２９から直接各種データを取得したり、外部接続機器９２９に各種データを提供したりする。
【００８５】
通信装置９２５は、例えば、通信網９３１に接続するための通信デバイス等で構成された通信インターフェースである。通信装置９２５は、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線又は無線によって接続されたネットワーク等により構成され、例えば、インターネット、家庭内ＬＡＮ、赤外線通信、ラジオ波通信又は衛星通信等であってもよい。
【００８６】
以上、本開示に係る制御部１１０の機能を実現可能なハードウェア構成の一例を示した。上記の各構成要素は、汎用的な部材を用いて構成されていてもよいし、各構成要素の機能に特化したハードウェアにより構成されていてもよい。従って、上記の実施例または変形例を実施する時々の技術レベルに応じて、適宜、利用するハードウェア構成を変更することが可能である。
【００８７】
＜５．むすび＞
以上で説明してきたように、本開示に係る画像取得システム、画像取得方法、制御装置および制御方法は、狭帯域光と広帯域光によって生成された照明光が照射された領域の温度を予測し、当該予測に基づいて狭帯域光および広帯域光の出力を制御することで熱損傷の発生を防ぐことができる。また、本開示に係る画像取得システム、画像取得方法、制御装置および制御方法は、上記の制御の前後において、照明光の出力（明るさ）および色味を一定にすることができる。また、変形例に係る画像取得システム、画像取得方法、制御装置および制御方法は、カラーセンサーを用いたより簡易な方法によって、制御の前後において、照明光の出力（明るさ）および色味を一定にすることができる。
【００８８】
以上、添付図面を参照しながら本開示の好適な実施例について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８９】
例えば、上記の各フローチャートに示した各ステップは、必ずしもフローチャートとして記載された順序に沿って時系列に処理する必要はない。すなわち、各ステップは、フローチャートとして記載した順序と異なる順序で処理されても、並列的に処理されてもよい。
【００９０】
また、画像取得装置１００または光源部２００の機能構成は適宜変更されてもよい。例えば、画像取得装置１００または光源部２００の機能構成の一部は、適宜外部装置に備えられてもよい。また、画像取得装置１００の機能の一部が、制御部１１０によって具現されてもよい。また、光源部２００の機能の一部が、各色光源制御部２２０や画像取得装置１００の制御部１１０によって具現されてもよい。
【００９１】
また、本開示に係る画像取得システムは、狭帯域光と広帯域光の出力を制御するだけでは熱損傷を防げないと判断した場合、照明光の光量を低減させて撮像素子のゲインを上げるという処理を行ってもよい。例えば、誤操作等によって照明光の射出口が照射対象に接近し過ぎた場合、狭帯域光と広帯域光の出力を制御するだけでは熱損傷を防ぐことが困難になる場合がある。そのとき、本開示に係る画像取得システムは、照明光の光量を低減させて撮像素子のゲインを上げるという処理を行う（または、当該処理を行うモードに切り替える）ことで熱損傷を防いでもよい。
【００９２】
また、上記で説明した各種処理の一部は、観察者によって手動で行われてもよい。例えば、広帯域光の出力を低減させ狭帯域光の出力を増加させる処理は、観察者によって行われてもよい。その際、本開示に係る画像取得システムは、観察者がより適切に作業を行えるように各種情報（光量に関する情報、色温度に関する情報または照射領域の温度に関する情報等）を提供する等の補助的な処理を行ってもよい。
【００９３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００９４】
なお、以下のような構成も本開示の技術的範囲に属する。
（１）
特定帯域にピーク強度を有する狭帯域光を射出する第１の光源部と、
前記特定帯域よりも広い帯域を有する広帯域光を射出する第２の光源部と、
前記狭帯域光および前記広帯域光を用いて合波光を生成する生成部と、
前記合波光の照射対象を撮像する撮像部と、
前記照射対象における前記合波光が照射された領域の温度の予測を行う予測部と、
前記予測に基づいて前記狭帯域光および前記広帯域光の出力の制御を行う制御部と、を備える、
画像取得システム。
（２）
前記制御部は、前記温度が所定値よりも高いと予測された場合、前記広帯域光の出力を下げ、前記狭帯域光の出力を上げる、
前記（１）に記載の画像取得システム。
（３）
前記制御部は、前記温度が所定値よりも低いと予測された場合、前記広帯域光の出力を上げ、前記狭帯域光の出力を下げる、
前記（１）または（２）に記載の画像取得システム。
（４）
前記制御部は、前記制御の前後で、前記合波光の光量が一定値もしく前記一定値から所定の範囲内の値に保たれるように前記制御を行う、
前記（１）から（３）のいずれか１項に記載の画像取得システム。
（５）
前記制御部は、前記制御の前後で、前記合波光の色温度が一定値もしく前記一定値から所定の範囲内の値に保たれるように前記制御を行う、
前記（１）から（４）のいずれか１項に記載の画像取得システム。
（６）
前記制御部は、前記合波光が入力されたカラーセンサーによる出力に基づいて前記制御を行う、
前記（４）または（５）に記載の画像取得システム。
（７）
前記撮像部は、前記制御の前後で、撮像素子のゲインを一定値もしく前記一定値から所定の範囲内の値に保つ、
前記（１）から（６）のいずれか１項に記載の画像取得システム。
（８）
前記予測部は、前記照射対象からの反射光もしくは散乱光の、前記撮像部への入射に基づいて前記予測を行う、
前記（１）から（７）のいずれか１項に記載の画像取得システム。
（９）
前記予測部は、前記入射に基づいて、前記合波光が射出される射出口と前記照射対象との離隔距離を予測し、前記離隔距離に基づいて前記予測を行う、
前記（８）に記載の画像取得システム。
（１０）
前記予測部は、前記照射対象が撮像された撮像画像の解析、または、前記照射対象を撮像したサーモグラフィーによる出力に基づいて前記予測を行う、
前記（１）から（７）のいずれか１項に記載の画像取得システム。
（１１）
前記生成部は、白色光である前記合波光を生成する、
前記（１）から（１０）のいずれか１項に記載の画像取得システム。
（１２）
前記第１の光源部は、互いに合波されることで白色光が生成される複数種類の前記狭帯域光を射出する、
前記（１１）に記載の画像取得システム。
（１３）
前記第２の光源部は、前記広帯域光として白色光を射出する、
前記（１１）または（１２）に記載の画像取得システム。
（１４）
前記画像取得システムは、内視鏡システムまたは顕微鏡システムである、
前記（１）から（１３）のいずれか１項に記載の画像取得システム。
（１５）
特定帯域にピーク強度を有する狭帯域光を射出することと、
前記特定帯域よりも広い帯域を有する広帯域光を射出することと、
前記狭帯域光および前記広帯域光を用いて合波光を生成することと、
前記合波光の照射対象を撮像することと、
前記照射対象における前記合波光が照射された領域の温度の予測を行うことと、
前記予測に基づいて前記狭帯域光および前記広帯域光の出力の制御を行うことと、を有する、
コンピュータにより実行される画像取得方法。
（１６）
特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行う制御部を備える、
制御装置。
（１７）
特定帯域にピーク強度を有する狭帯域光と前記特定帯域よりも広い帯域を有する広帯域光を用いて生成された合波光の照射領域の温度の予測に基づいて前記狭帯域光および前記広帯域光の出力の制御を行うことを有する、
コンピュータにより実行される制御方法。
【符号の説明】
【００９５】
１００    画像取得装置
１１０    制御部
１２０    ライトガイド
１３０    照明光学系
１４０    対物光学系
１５０    リレー光学系
１６０    結像光学系
１７０    撮像部
２００    光源部
２１０    各色光源部
２２０    各色光源制御部
２３０    合波光学系
【図１】
2018207456.tif 000003
【図２】
2018207456.tif 000004
【図３】
2018207456.tif 000005
【図４】
2018207456.tif 000006
【図５】
2018207456.tif 000007
【図６】
2018207456.tif 000008
【図７】
2018207456.tif 000009
【図８】
2018207456.tif 000010
【国際調査報告】
2018207456.tif 000011
2018207456.tif 000012
2018207456.tif 000013
2018207456.tif 000014